【手続補正書】
【提出日】平成17年7月20日(2005.7.20)
【手続補正１】
【補正対象書類名】明細書
【補正対象項目名】発明の名称
【補正方法】変更
【補正の内容】
【発明の名称】化粧材及び転写シート
【手続補正２】
【補正対象書類名】明細書
【補正対象項目名】特許請求の範囲
【補正方法】変更
【補正の内容】
【特許請求の範囲】
【請求項１】
支持体シート上の転写層として模様層を有する転写シートにおいて、
模様層がバインダー樹脂としてウレタン樹脂を有し、該ウレタン樹脂はポリカーボネートジオールとイソシアネートからなるポリウレタン部分とアクリル部分とを有するポリウレタン-アクリルブロック共重合体であり、且つ数平均分子量が３０，０００以上で水酸基を含有しない樹脂である、転写シート。
【請求項２】
上記ウレタン樹脂を構成するポリウレタン−アクリルブロック共重合体が、ポリウレタン部分に、ポリオールとしてポリカーボネートジオールを用い、またイソシアネートとして４，４′−メチレンビス（シクロヘキシルイソシアネート）、及びイソホロンジイソシアネートを用いた共重合体である、請求項１記載の転写シート。
【請求項３】
請求項１又は２記載の転写シートで基材に模様層を転写法で形成し、さらに（メタ）アクリル酸エステル化合物の架橋硬化物である表面保護層を塗装法で形成した化粧材。
【手続補正３】
【補正対象書類名】明細書
【補正対象項目名】０００１
【補正方法】変更
【補正の内容】
【０００１】
【発明の属する技術分野】
本発明は、住宅の外装及び内装材等の各種用途に用いる化粧材として、特に密着性、耐熱水性、耐熱性、耐候性等に優れ、建築物内装材、特に浴室、洗面台、キッチンパネル等の水回りに適した化粧材と、転写シートに関する。
【手続補正４】
【補正対象書類名】明細書
【補正対象項目名】０００５
【補正方法】変更
【補正の内容】
【０００５】
そこで、本発明の課題は、転写で化粧材を製造する場合に、密着性、耐熱水性、耐熱性、耐候性、更に耐擦傷性等の表面物性に優れた化粧材と転写シートを提供する事であり、また該化粧材を製造する際に、模様層等の転写時の剥離性も良好となる化粧材と転写シートを提供する事である。
【手続補正５】
【補正対象書類名】明細書
【補正対象項目名】０００６
【補正方法】変更
【補正の内容】
【０００６】
【課題を解決するための手段】
そこで、上記課題を解決すべく、本発明では、支持体シート上の転写層として模様層を有する転写シートにおいて、模様層がバインダー樹脂としてウレタン樹脂を有し、該ウレタン樹脂はポリカーボネートジオールとイソシアネートからなるポリウレタン部分とアクリル部分とを有するポリウレタン−アクリルブロック共重合体であり、且つ数平均分子量が３０，０００以上で水酸基を含有しない樹脂である構成とする。この転写シートを、基材表面に、模様層、表面保護層がこの順に積層された化粧材の製造に使用し、表面保護層が（メタ）アクリル酸エステル化合物の架橋硬化物である場合、模様層のウレタン樹脂はアクリル部分を有し、且つ表面保護層もアクリル系樹脂となる為に表面保護層と模様層との密着も良く、耐熱水性、耐熱性、耐候性等の物性に優れる上、耐擦傷性等の表面物性にも優れた化粧材となる。なお、上記ウレタン樹脂を構成するポリウレタン−アクリルブロック共重合体を、そのポリウレタン部分に、ポリオールとしてポリカーボネートジオールを用い、またイソシアネートとして４，４′−メチレンビス（シクロヘキシルイソシアネート）、及びイソホロンジイソシアネートを用いた共重合体とすることによって、耐候性はより良好となる。
【手続補正６】
【補正対象書類名】明細書
【補正対象項目名】０００７
【補正方法】変更
【補正の内容】
【０００７】
また、本発明の化粧材は、上記転写シートで基材に模様層を転写法で形成し、さらに、（メタ）アクリル酸エステル化合物である表面保護層を塗装法で形成した。その結果、表面が粗面な厚板等の直接印刷が困難な基材表面に対しても、特定材料の模様層及び特定材料の表面保護層によって、転写時の剥離性も良好で、化粧材を容易に製造できる。
【手続補正７】
【補正対象書類名】明細書
【補正対象項目名】０００８
【補正方法】変更
【補正の内容】
【０００８】
なお、本発明に於いて、転写圧として、固体粒子の衝突圧を利用できる。固体粒子衝突圧を転写圧に利用する事により、被転写面がゴムローラを用いる従来の転写法では不可能な様な凹凸表面でも転写でき、より高意匠の化粧材を容易に製造できる。
【手続補正８】
【補正対象書類名】明細書
【補正対象項目名】０００９
【補正方法】変更
【補正の内容】
【０００９】
【発明の実施の形態】
以下、図面を参照しながら本発明の化粧材及び転写シートについて、実施の形態を説明する。
【手続補正９】
【補正対象書類名】明細書
【補正対象項目名】００１３
【補正方法】変更
【補正の内容】
【００１３】
以下、さらに本発明について詳述する。
【手続補正１０】
【補正対象書類名】明細書
【補正対象項目名】００１７
【補正方法】変更
【補正の内容】
【００１７】
〔転写シート〕
本発明の化粧材を製造する場合に、模様層を転写法で形成する際に用いる本発明の転写シートとしては、図２にその一形態を例示する転写シートＳの如く、支持体シート４と転写移行する転写層５とからなり、その転写層５として前記した如きバインダー樹脂からなる模様層１を有する構成のものを用いる。
【手続補正１１】
【補正対象書類名】明細書
【補正対象項目名】００３２
【補正方法】変更
【補正の内容】
【００３２】
〔表面保護層〕
表面保護層２は、前述した如く、基材に塗装法で形成しても良く、転写法で形成しても良いが、本発明による化粧材では塗装法で形成する。また、転写法で形成する場合に用いる転写シートとして、その支持体シート上に形成するには、転写法を含むグラビア印刷等の印刷法でも良く、或いは塗装法でも良い。但し、化粧材に於いて表面保護層は架橋硬化物であるので、基材にはスプレーコート、ロールコート等の塗装法で形成した方が、転写シートの取扱いが容易になる点では好ましい。
【手続補正１２】
【補正対象書類名】明細書
【補正対象項目名】００７０
【補正方法】変更
【補正の内容】
【００７０】
【発明の効果】
（１）本発明によれば、耐熱水性、耐熱性、耐候性等の物性に優れ、且つ耐擦傷性等の表面物性にも優れる。従って、浴室等の水回り用途に適する化粧材となる。
（２）本発明によれば、上記の如き化粧材を模様層等の転写時の支持体シートの剥離性も良好に出来、容易に製造できる。
（３）なお、特に、転写圧に固体粒子衝突圧を用いる転写法を模様層形成等に採用すれば、大きな三次元的凹凸表面が装飾された化粧材が容易に得られる。もちろん、二次元的凹凸も可能で、平板状の板材以外にも瓦の様に全体として（包絡面形状が）波うち形状のもの、或いは凸又は凹に湾曲した形状のものでも容易に得られる。また、大柄な凹凸表面の凸部上、凹部内（底部や凸部と底部の連結部分である側面）も転写できる。また、大柄な凹凸の凸部上に、更に微細な凹凸（例えば梨地等）が有る場合でも、その微細凹凸の凹部内にまで、転写できる。また、従来のゴムローラ押圧方式の様に、基材の凹凸部によるローラ等部品の損耗も無い。従って、従来に無く極めて意匠性に優れた化粧材が得られる。
【手続補正１３】
【補正対象書類名】明細書
【補正対象項目名】図２
【補正方法】変更
【補正の内容】
【図２】本発明の化粧材の製造方法で使用する本発明の転写シートの一例を示す
断面図。